(57)【要約】【課題】  署名のつど、二度と同一のものを生成することができないほどユニークな文字列を生成して、これを署名データとする。【解決手段】  氏名データ４１の入力を受け付ける第１の入力装置１７と、現在時刻を表示する時刻表示手段２１と、前記第１の入力装置１７と時刻表示手段２１から取得されるデータを、予め設定された演算式３３により演算処理して得られたものであって、予め設定された最小文字数以上で最大文字数以下の文字列からなる署名データ４３を生成する署名データ生成手段２２と、前記署名データ４３を出力する出力制御手段２３と、前記氏名データ４１と前記署名データ４３とを対応させた照合データ４４を生成し、記憶装置３０に記憶させるデータ保存制御手段２５とを備える。【選択図】図１
2006163540.tif 000002
【特許請求の範囲】
【請求項１】
氏名データの入力を受け付ける第１の入力装置と、
現在時刻データを生成する時刻表示手段と、
前記第１の入力装置の受け付けた氏名データと、前記時刻表示手段から取得された現在時刻データを、予め設定された演算式により演算処理して得られたものであって、予め設定された最小文字数以上で最大文字数以下の文字列からなる署名データを生成する署名データ生成手段と、
前記署名データを出力する出力制御手段と、
前記氏名データと前記署名データとを対応させた照合データを生成し、記憶装置に記憶させるデータ保存制御手段とを備えたことを特徴とする署名データ生成装置。
【請求項２】
請求項１に記載の署名データ生成装置において、
氏名データ以外の本人を特定するデータの入力を受け付ける第２の入力装置を備え、
前記署名データ生成手段は、
前記第１の入力装置の受け付けた氏名データと、前記第２の入力装置の受け付けた氏名以外の本人を特定するデータと、前記時刻表示手段から取得された現在時刻データを、予め設定された演算式により演算処理して得られたものであって、予め設定された最小文字数以上で最大文字数以下の文字列からなる署名データを生成することを特徴とする署名データ生成装置。
【請求項３】
請求項１に記載の署名データ生成装置において、
前記署名データ生成装置が署名データを生成するたびに、所定のタイミングで前記演算式を変更する演算式変更処理手段を備えたことを特徴とする署名データ生成装置。
【請求項４】
請求項１に記載の署名データ生成装置において、
前記署名データを構成する文字群は、所定の形状の枠内に所定の規則で配列されることを特徴とする署名データ生成装置。
【請求項５】
氏名データの入力を受け付ける第１の入力装置と、
前記氏名データ以外の氏名データ入力時に取得した補助データを受け付ける第２の入力装置と、
前記第１の入力装置の受け付けた氏名データと、前記第２の入力装置の受け付けた補助データを、予め設定された演算式により演算処理して得られたものであって、予め設定された最小文字数以上で最大文字数以下の文字列からなる署名データを生成する署名データ生成手段と、
前記署名データを出力する出力制御手段と、
前記氏名データと前記署名データとを対応させた照合データを生成し、記憶装置に記憶させるデータ保存制御手段とを備えたことを特徴とする署名データ生成装置。
【請求項６】
コンピュータを、
氏名データの入力を受け付ける第１の入力装置と、
現在時刻データを生成する時刻表示手段と、
前記第１の入力装置の受け付けた氏名データと、前記時刻表示手段から取得された現在時刻データを、予め設定された演算式により演算処理して得られたものであって、予め設定された最小文字数以上で最大文字数以下の文字列からなる署名データを生成する署名データ生成手段と、
前記署名データを出力する出力制御手段と、
前記氏名データと前記署名データとを対応させた照合データを生成し、記憶装置に記憶させるデータ保存制御手段、
として機能させることを特徴とする署名データ生成プログラム。
【請求項７】
コンピュータを、
氏名データの入力を受け付ける第１の入力装置と、
前記氏名データ以外の氏名データ入力時に取得した補助データを受け付ける第２の入力装置と、
前記第１の入力装置の受け付けた氏名データと、前記第２の入力装置の受け付けた補助データを、予め設定された演算式により演算処理して得られたものであって、予め設定された最小文字数以上で最大文字数以下の文字列からなる署名データを生成する署名データ生成手段と、
前記署名データを出力する出力制御手段と、
前記氏名データと前記署名データとを対応させた照合データを生成し、記憶装置に記憶させるデータ保存制御手段、
として機能させることを特徴とする署名データ生成プログラム。
【発明の詳細な説明】
【技術分野】
【０００１】
本発明は、契約書等の個人認証用の用途に使用される、署名データ生成装置と署名データ生成プログラムに関する。
【背景技術】
【０００２】
ネットワーク上で本人を確認するには、ユーザコードとパスワードを使用するのが一般的である。契約書等で本人を確認するには、印鑑が使用される。外国では直筆の署名が一般的である。また、電子化された文書の出所を照明するために、電子署名が普及し始めている（特許文献１）。
【特許文献１】特開２００４−３２０６４８号公報
【発明の開示】
【発明が解決しようとする課題】
【０００３】
ここで、従来の技術には、次のような解決すべき課題があった。
印鑑は、最新の複写技術を駆使すると、見分けのつかない物が偽造できる。従って、絶対に安全とは言い難い。また、署名は日本社会にはまだなじまないし、本人の物であるという鑑定が容易でない。コンピュータによる自動照合も難しい。コンピュータの情報処理分野では、所定の電子署名を登録する認証機関も存在するが、その認証コードは一定であり、長期間セキュリティを保証することは難しい。従って、認証コードを毎年更新するといった方法で対応している。いずれにしても、毎回同じ署名を使用する限り、偽造は免れない。
本発明は、以上の点に着目してなされたもので、署名のつど、二度と同一のものを生成することができないほどユニークな文字列を生成して、これを署名データとする、署名データ生成装置と署名データ生成プログラムを提供することを目的とする。
【課題を解決するための手段】
【０００４】
本発明の各実施例においては、それぞれ次のような構成により上記の課題を解決する。
〈構成１〉
氏名データの入力を受け付ける第１の入力装置と、現在時刻データを生成する時刻表示手段と、上記第１の入力装置の受け付けた氏名データと、上記時刻表示手段から取得された現在時刻データを、予め設定された演算式により演算処理して得られたものであって、予め設定された最小文字数以上で最大文字数以下の文字列からなる署名データを生成する署名データ生成手段と、上記署名データを出力する出力制御手段と、上記氏名データと上記署名データとを対応させた照合データを生成し、記憶装置に記憶させるデータ保存制御手段とを備えたことを特徴とする署名データ生成装置。
【０００５】
自己の氏名と署名をした時刻の情報とを組み合わせて生成された署名データは、二度と同じものが作れない。署名データを識別が不能な程度に多数の文字群で構成すると、改ざんも不可能である。署名時刻と演算式が割り出されないと再現は不可能だから、署名データは確実にユニークな内容になる。その署名データと氏名を対応させた照合データを保存しておけば、署名データを確かに本人が作成したものか確認できる。公的な信頼性の高い機関に照合データを保存し、閲覧を可能にすれば、第３者が署名の信頼性を確認できる。署名を書き込む文書は紙文書でも電子化された文書でもよいから汎用性が高い。
【０００６】
〈構成２〉
構成１に記載の署名データ生成装置において、氏名データ以外の本人を特定するデータの入力を受け付ける第２の入力装置を備え、上記署名データ生成手段は、上記第１の入力装置の受け付けた氏名データと、上記第２の入力装置の受け付けた氏名以外の本人を特定するデータと、上記時刻表示手段から取得された現在時刻データを、予め設定された演算式により演算処理して得られたものであって、予め設定された最小文字数以上で最大文字数以下の文字列からなる署名データを生成することを特徴とする署名データ生成装置。
【０００７】
例えば、氏名以外の住所情報、所属社名情報等を含めれば、ユニークな署名データを作りやすくなる。
【０００８】
〈構成３〉
構成１に記載の署名データ生成装置において、上記署名データ生成装置が署名データを生成するたびに、所定のタイミングで上記演算式を変更する演算式変更処理手段を備えたことを特徴とする署名データ生成装置。
【０００９】
他人による演算式の類推が不可能なように、演算式を例えば、別の演算式により順次変更して使用するとよい。
【００１０】
〈構成４〉
構成１に記載の署名データ生成装置において、上記署名データを構成する文字群は、所定の形状の枠内に所定の規則で配列されることを特徴とする署名データ生成装置。
【００１１】
例えば、署名データが契約書等に印刷して出力される場合に、単なる文字列では、署名としての体裁が悪い。所定の形状の枠内に所定の規則で配列されることで、署名として体裁が良く、しかも、電子化された特定の署名であることが明確になる。
【００１２】
〈構成５〉
氏名データの入力を受け付ける第１の入力装置と、上記氏名データ以外の氏名データ入力時に取得した補助データを受け付ける第２の入力装置と、上記第１の入力装置の受け付けた氏名データと、上記第２の入力装置の受け付けた補助データを、予め設定された演算式により演算処理して得られたものであって、予め設定された最小文字数以上で最大文字数以下の文字列からなる署名データを生成する署名データ生成手段と、上記署名データを出力する出力制御手段と、上記氏名データと上記署名データとを対応させた照合データを生成し、記憶装置に記憶させるデータ保存制御手段とを備えたことを特徴とする署名データ生成装置。
【００１３】
この装置は、氏名データの入力時に、その氏名を入力した書き順やストロークのイメージデータ等を補助データとして取得する。この補助データは、まったく同じ内容のものが得られないような種類のデータであることが好ましい。これにより、現在時刻データを含めなくても、ユニークな署名データを生成できる。
【００１４】
〈構成６〉
コンピュータを、氏名データの入力を受け付ける第１の入力装置と、現在時刻データを生成する時刻表示手段と、上記第１の入力装置の受け付けた氏名データと、上記時刻表示手段から取得された現在時刻データを、予め設定された演算式により演算処理して得られたものであって、予め設定された最小文字数以上で最大文字数以下の文字列からなる署名データを生成する署名データ生成手段と、上記署名データを出力する出力制御手段と、上記氏名データと上記署名データとを対応させた照合データを生成し、記憶装置に記憶させるデータ保存制御手段、として機能させることを特徴とする署名データ生成プログラム。
【００１５】
〈構成７〉
コンピュータを、氏名データの入力を受け付ける第１の入力装置と、上記氏名データ以外の氏名データ入力時に取得した補助データを受け付ける第２の入力装置と、上記第１の入力装置の受け付けた氏名データと、上記第２の入力装置の受け付けた補助データを、予め設定された演算式により演算処理して得られたものであって、予め設定された最小文字数以上で最大文字数以下の文字列からなる署名データを生成する署名データ生成手段と、上記署名データを出力する出力制御手段と、上記氏名データと上記署名データとを対応させた照合データを生成し、記憶装置に記憶させるデータ保存制御手段、として機能させることを特徴とする署名データ生成プログラム。
【発明を実施するための最良の形態】
【００１６】
以下、本発明の実施の形態を実施例ごとに詳細に説明する。
【実施例１】
【００１７】
図１は、本発明による署名データ生成装置の具体例を示すブロック図である。
図の装置は、パーソナルコンピュータ１０により実現する。パーソナルコンピュータ１０は、本体制御部１１とディスプレイ１２とキーボード１３とマウス１４とデジタイザ１５とを備える。このほかに、演算処理結果を出力するためのプリンタ１６が接続されている。
【００１８】
本体制御部１１の内部には、演算処理装置２０と記憶装置３０とが設けられている。図の装置は、第１の入力装置１７、第２の入力装置１８、時刻表示手段２１、署名データ生成手段２２、出力制御手段２３、演算式変更処理手段２４、及び、データ保存制御手段２５を備える。第１の入力装置１７と第２の入力装置１８とは、いずれもキーボード１３、マウス１４、あるいはデジタイザ１５によって実現する。すなわち、これらを操作することによってコンピュータに署名のための氏名を入力する。
【００１９】
演算処理装置２０に含まれた各手段は、所定の処理をコンピュータに実行させるコンピュータプログラムからなる。時刻表示手段２１は、プログラムタイマなどによって現在時刻を生成して出力する機能を持つ。時刻表示手段２１に生成された現在時刻データ４２は、署名データ生成手段２２に供給される。第１の入力装置１７で入力された氏名データ４１は、署名データ生成手段２２に入力される。署名データ生成手段２２は、第１の入力装置１７と時刻表示装置２１から取得されるデータ、すなわち、氏名データ４１と現在時刻データ４２とを、予め設定された演算式により演算処理する機能を持つ。
【００２０】
署名データ生成手段２２は、具体的には、データに様々な演算処理を加えて所定の文字列からなる署名データ４３を生成する。この署名データ４３は、予め設定された最小文字数以上、最大文字数以下の文字列である。この署名データ４３は、出力制御手段２３に受け入れられて、例えば、プリンタ１６によって印刷出力される。あるいは文書データファイル４５の所定の領域に署名データ４３を書き込むように出力される。
【００２１】
この文書データファイル４５は、ディスプレイ１２により表示され、その内容を確認することができる。さらに、署名データ生成手段２２の生成した署名データ４３は、氏名データ４１と共にデータ保存制御手段２５に転送される。データ保存制御手段２５は、氏名データ４１と署名データ４３とを対応付けて照合データ４４を生成する。この照合データ４４が記憶装置３０に記憶される。記憶装置３０には、照合データ４４と、署名データ４３が書き込まれた文書データファイル４５と、署名データ生成時に使用される演算式３３とが記憶されている。
【００２２】
演算式変更処理手段２４は、記憶装置３０から読み出した演算式３３を署名データ生成手段２２に供給する機能を持つ。この演算式変更処理手段２４は、例えば、署名データ生成手段２２が署名データ４３を生成する処理を実行する度に、複数の演算式３３の内から１つをランダムにあるいは一定の順に選択して供給する。従って、署名データ生成手段２２は、署名データを生成する度に新たな別の演算式を使用して演算処理を実行することになる。演算式３３の切り換えは、例えば、毎時間、毎日、毎月といったスパンで実行することもできる。
【００２３】
なお、第２の入力装置１８は、例えば、デジタイザ１５からなる。この場合にデジタイザ１５を用いて氏名データ４１を入力すると、その書き順や、その他様々な情報を取得し、これを氏名データ４１に付加した状態で署名データ生成手段２２に入力する。例えば、書き順や字の形状の癖などを示す情報を取得し、これを氏名の文字コードなどと組み合わせて氏名データ４１にすることによって、例えば、同姓同名であっても、別人の氏名は、それぞれ異なる氏名データ４１を得ることが可能になる。
【００２４】
この発明の目的は、署名をしたものを区別し、それぞれの署名がユニークであることを保障するものである。従って、同姓同名があるような場合に単なる文字コードだけでなく、本人を特定するための様々な情報を組み合わせて入力し、氏名データのユニークさを保障している。
【００２５】
図２は、具体的に本発明の署名データ生成装置の動作を説明する説明図である。
図に示すように本発明の装置には、様々な入力装置を用いて氏名データを生成するための情報が入力される。例えば、キーボードを用いれば、漢字変換を行った漢字データのほかに、ローマ字あるいはひらがななどのカナコードが取得される。さらに、デジタイザを用いて文字を書き込み、これをパタン認識して文字コードを得るといった方法を採用すれば、文字コードだけでなく文字の書き順などのデータも、本人を識別するために取得できる。これは、図３を用いてあとで説明する。
【００２６】
なお、本人を特定する様々な情報として例えば、電話番号、ファクシミリ番号、住所、といった情報がある。これを含めるかどうかは、各自で選択すればよい。コード化テーブル５１は、署名データ生成手段２２に供給される演算式３３の一部である。切り換え信号５２は、このコード化テーブル５１を切り換えるためのデータである。コード化テーブル５１を例えば、署名データ生成の度に次々と切り換える機能を持つ。文字コードを入力順に並べたり、逆順に並べたり、あるいはコード化方法を変えたりすることができる。これによっても、毎回同じ氏名が入力されても異なる文字コードを発生させる、という機能を持たせることができる。例えばこの図に示すようにまず、第１の入力装置１７や第２の入力装置１８から入力されたデータをコード化する。コード化の方法は、文字コードや数字コードを単純に配列したり、あるいは組み合わせたものである。
【００２７】
具体的には、このようにする。時刻データは、年月日時分秒まで含むものにする。例えば、入力した文字コードを複数の演算式や変換テーブルによって演算処理して複数の別の文字コードを発生させる。発生させる文字を５０文字程度にすると識別不能な多数の文字からなる文字列が得られる。さらに、それらの文字列を、時刻データにより生成されるユニークな文字列と混合する。時刻データは１５桁程度の数字の文字列である。これらの文字列を予め決めておいた配列規則で配列する。
【００２８】
コード化テーブル５１から出力される文字コードＸと時刻表示手段２１（図１）から出力される現在時刻データ４２（この図ではＹと表示）とが、演算式３３によって演算処理される。切り換え信号５３は、演算式３３を署名データ生成の都度切り換える機能を持つ。多数の演算式を用意しておき、交互に切り換えてもよいし、予め演算式を発生させるための演算式を準備し、その都度演算式を変更する、といった方法も可能である。
【００２９】
こうして署名データＺが生成されると、その署名データは、全体として文字を予め決めた最小文字数以上、最大文字数以下並べたものになる。これらの文字列を署名処理のために、例えば図に示すような枠６０の中に特定のパタン６１で配列する。この枠６０は、実際に線で囲んだ枠でもよいし、仮想的な枠すなわち透明の線で囲んだ枠でも構わない。例えば、図のような横長の楕円の枠内に生成された署名データＺを構成する文字列を、所定の順に配列してこれを署名とする。
【００３０】
これが契約書の印鑑とか証明書の印鑑の変わりに出力される。この枠や配列は、例えば、配列パタンメモリ５５に記憶される。枠５６、５７、５８というように様々な配列パタンが予め用意されており、これらのいずれかが選択されて出力される。この配列パタンの選択も切り換え信号５３により自動的に行ってもよいし、この選択は利用者の希望に応じて実行するようにしても構わない。
【００３１】
図３は、氏名の入力により、氏名の文字コード以外の情報を取得して処理をする手順を説明する説明図である。
この図は、デジタイザにより氏名を入力したときに取得されるデータの内容を示したものである。デジタイザで氏名が入力されると、図のように、Ｌ１、Ｌ２、Ｌ３の順にイメージデータが取得される。縦座標と横座標を図のように設定しておくと、そのとき取得される座標点列は、図のように、Ｌ１（0e,aa,bb,cc,dd,ee,ff,gg,hh,ii,jj）、Ｌ２（0a,ee,ff,hh,ii,jj:jj,0a,0b,0c,0d,0e,0f,0g,0h,0i）、Ｌ３（0i,ee,ff,gg,hh,ii,jj）となる。これは、氏名を入力した人の癖等により個人差がある。従って、複製の困難な本人を特定するためのデータになる。従って、印鑑を構成する文字列、免許証、預金通帳、各種手続き書類の署名用として、適したデータになる。なお、このほかに、第２の入力装置により、住所データや氏名の読みかなデータ等を取得して、署名データ生成手段に向けて出力してもよい。
【００３２】
上記の方法によれば、氏名の入力により取得された文字コードのほかに、氏名を書き込むときに取得された、書き順やストロークの座標点列データを、署名データ生成に使用することができる。デジタイザの使用方法や文字の入力方法は、同一人でもそのつど少しずつ異なる。従って、毎回、ユニークな座標点列データが取得できる。故に、現在時刻データを含めなくても、二度と再現できないような署名データを生成できる。上記第１の入力装置は文字コードや住所、よみかなデータを取得し、第２の入力装置はストローク等のデータを取得するとよい。なお、まったく同一の漢字を使用した署名でも、読み方が異なる場合がある。このときは、ローマ字入力されたときに、そのローマ字と変換後の漢字とを組み合わせて照合データを生成すると、同姓同名を区別できる。
【００３３】
図４は、本発明の装置の動作フローチャートである。
このフローチャートにより、上記の装置のコンピュータプログラムによる動作手順の一例を説明する。
フローチャートの例は、氏名データ４１をデジタイザ１５を用いて入力する例を説明する。まず、ステップＳ１１でデジタイザの出力を受信する。ステップＳ１２では、デジタイザから取得された座標点列データをコンピュータの記憶装置に記憶する。ステップＳ１３では、記憶された座標点列データを解析して特徴点を抽出する。この処理は、従来デジタイザで入力された文字の文字認識処理を行うために実行されたものと同様でよい。
【００３４】
ステップＳ１４では、入力順データの取得をする。座標点列データがどの順番で入力されたかという情報を取り込む。これによって、認識される文字の文字コードだけでなく、書き順に対応する情報も本人を特定する情報として取得する。ステップＳ１５では、デジタイザからの入力が終了した時点での現在時刻データを、時刻表示手段２１から取得する。次にステップＳ１６で、特徴点による文字認識処理を実行する。
【００３５】
そして、ステップＳ１７で、該当する文字に対する文字コード変換をする。次にステップＳ１８で、これまでセットされていたコード化テーブル５１を強制的に新たなコード化テーブルに切り換える。そして、ステップＳ１９でコード化テーブル５１を用いたコード化によりコードＸを発生させる。なお、このコードＸは認識された文字の文字コードと文字の書き順とを組み合わせたデータになる。
【００３６】
書き順に対応するデータというのは、例えば、上から下がＡ、左から右がＢ、下から上がＣ、右から左がＤ、上から下へ書き下ろしそのまま左から右へ折り曲げる場合にはＡＢ、というように簡単に方向性のみをデータ化することもできる。また、文字認識をする場合には、取得した文字イメージを一定の枠内に収めて正規化処理をする。この時、文字を構成する各線がどの座標からどの座標に向かって記入されたかという詳細な情報をデータ化してもよい。これは、すなわち、特徴点座標データの配列となり、これと認識された文字の文字コードを組み合わせることによって、すでに説明したように、極めてユニークなデータを生成することができる。
【００３７】
ステップＳ２０では、演算式３３を強制的に切り換える。そして、ステップＳ２１で、その演算式によってＸとＹを用いた演算処理を実行する。ステップＳ２２では記憶装置に記憶された配列パタンメモリ５５から所定の配列パタンを選択する。ステップＳ２３では、氏名データ４１と署名データ４３とを１組にして照合データ４４を生成し、記憶装置３０に記憶する。こうして記憶された照合データ４４は、例えば、署名をしたものの管理するコンピュータや、あるいは署名したものが依頼した管理サービス会社のコンピュータに記憶される。
【００３８】
例えば、ある署名を本人のものかどうか確認しようとすれば、その署名を管理サービスセンタに送る。署名データは、ユニークなものなので、その署名データをキーに選択すれば、必ず対応する氏名データを取得することができる。従って、氏名データと署名データを対応付けたもの以外にどの書類に署名をしたかといった情報は不要である。セキュリティを高めるためには、そういった情報は付け加えない方がよい。
【００３９】
配列パタンは１つの要素となるので、氏名データ４１、照合データ４４の他に配列パタンも照合データ４４に含めていることが好ましい。こうしてステップＳ２４で、例えば、文書データファイルに署名データを含めることによって、電子化された書類にちょうど印鑑の印影のような署名が入力される。この署名は同一人物がしたものでも、その都度ユニークなもののため、コピーをして別の場所に使用しても無効である。
【００４０】
照合データ４４を生成した日付を確認すれば、その署名データが使われた文書との対応関係から別の文書に使用されていても、明らかに無効であることが証明できる。もちろんこの署名データを任意の文書にプリンタを用いて印刷することもできる。上記のように生成した署名データは、例え本人でも２度と同じものが作れないことから、極めてセキュリティの高いものとなり、しかも盗用できないことから電子化データにも利用できるという効果がある。
【００４１】
以上説明したように、本発明の装置は、氏名が入力されると、その氏名と現在時刻データとによりユニークな文字列を生成して、印鑑等の代用になる配列パタンを生成するので、ユニークで偽造できない認証用の陰影等が生成できる。
【図面の簡単な説明】
【００４２】
【図１】本発明による署名データ生成装置の具体例を示すブロック図である。
【図２】具体的に本発明の署名データ生成装置の動作を説明する説明図である。
【図３】氏名の入力により、氏名の文字コード以外の情報を取得して処理をする手順を説明する説明図である。
【図４】本発明の装置の動作フローチャートである。
【符号の説明】
【００４３】
１０  パーソナルコンピュータ
１１  本体制御部
１２  ディスプレイ
１３  キーボード
１４  マウス
１５  デジタイザ
１６  プリンタ
１７  第１の入力装置
１８  第２の入力装置
２０  演算処理装置
２１  時刻表示手段
２２  署名データ生成手段
２３  出力制御手段
２４  演算式変更処理手段
２５  データ保存制御手段
３０  記憶装置
３３  演算式
４１  氏名データ
４２  現在時刻データ４２
４３  署名データ４３
４４  照合データ
４５  文書データファイル
４６  文書データファイル
【図１】
2006163540.tif 000003
【図２】
2006163540.tif 000004
【図３】
2006163540.tif 000005
【図４】
2006163540.tif 000006